(57)【要約】  双安定媒体内のコロイド粒子の操作するためのデバイスであって、デバイスは、双安定媒体のための色彩の案、および／または、模様の案を記憶するマイクロコントローラ、ならびに、双安定媒体を第１の状態から第２の状態へ変化させるための機構を含む。
2013536470.tif 000002
【特許請求の範囲】
【請求項１】
双安定媒体内のコロイド粒子を操作するためのデバイスにおいて、前記デバイスが、
双安定媒体のため、色彩の案および／または模様の案を記憶するマイクロコントローラと、
前記双安定媒体を第１の状態から第２の状態へ変化させるための機構と、
を含むことを特徴とするデバイス。
【請求項２】
請求項１に記載のデバイスにおいて、前記双安定媒体を第１の状態から第２の状態へ変化させるための前記機構が、電磁気装置であることを特徴とするデバイス。
【請求項３】
請求項１に記載のデバイスにおいて、人間の爪に適応するように大きさを合わせられたソレノイドをさらに含むことを特徴とするデバイス。
【請求項４】
請求項１に記載のデバイスにおいて、デバイスに取り付けるように構成され、少なくとも１つの色彩の案、および／または、模様を前記マイクロコントローラに伝達する入出力ポートをさらに含むことを特徴とするデバイス。
【請求項５】
請求項１に記載のデバイスにおいて、前記マイクロコントローラが色彩の案、および／または、模様を無線手段を介して受け取ることを特徴とするデバイス。
【請求項６】
請求項１に記載のデバイスにおいて、前記双安定の材料を第１の状態から第２の状態へ変化させるための前記機構が、約１５０ガウスと７００ガウスとの間で実行されることを特徴とするデバイス。
【請求項７】
請求項１に記載のデバイスにおいて、前記マイクロコントローラが、記憶素子および中央処理装置（ＣＰＵ）を含むことを特徴とするデバイス。
【請求項８】
請求項１に記載のデバイスにおいて、前記デバイスが、前記デバイスを活性化する、および／または、ユーザーに利用可能である前記色彩パレットをスクロールするために使われる、少なくとも１つのボタンまたはスイッチを含むことを特徴とするデバイス。
【請求項９】
請求項１に記載のデバイスにおいて、前記双安定の材料を第１の状態から第２の状態へ変化させる前記機構が、紫外線（ＵＶ）投光器であることを特徴とするデバイス。
【請求項１０】
請求項１に記載のデバイスにおいて、前記双安定の材料を第１の状態から第２の状態へ変化させる前記機構が、交流磁気周波数（ＡＭＦ）源であることを特徴とするデバイス。
【請求項１１】
請求項１に記載のデバイスにおいて、前記デバイスが、グラフィカルユーザーインターフェース（ＧＵＩ）をさらに含むことを特徴とするデバイス。
【請求項１２】
請求項１に記載のデバイスにおいて、前記双安定の材料が、超常磁性のＦｅ３０４＠Ｓｉ０２コロイド粒子で構成されることを特徴とするデバイス。
【請求項１３】
請求項１に記載のデバイスにおいて、電源を含む筐体、前記双安定の材料を第１の状態から第２の状態へ変化させるため前記機構から電気的信号（および／または磁気的信号）を送る少なくとも１つのドライバー、時計装置、前記少なくとも１つのドライバーを制御する制御装置、前記電源および前記時計装置、ならびに記憶素子をさらに含むことを特徴とするデバイス。
【請求項１４】
請求項１に記載のデバイスにおいて、前記デバイスが、一回限り使用のデバイスであることを特徴とするデバイス。
【請求項１５】
双安定媒体内のコロイド粒子を操作する方法において、
双安定の材料のための、少なくとも１つの色彩の案、および／または、模様の案を有する調節デバイスを提供するステップと、
前記双安定の材料のための、色彩の案、および／または、模様の案を固定するステップと、
を含むことを特徴とする方法。
【請求項１６】
請求項１５に記載の方法において、前記双安定の材料を第１の状態から第２の状態へ変化させるステップをさらに含むことを特徴とする方法。
【請求項１７】
請求項１５に記載の方法において、１つまたは複数の色彩の案、および／または、模様の案を有する前記調節デバイスのために、色彩の案、および／または、模様の案を得るステップをさらに含むことを特徴とする方法。
【請求項１８】
請求項１７に記載の方法において、色彩の案、および／または、模様の案を得るステップが、インターネット購入を介して前記色彩の案、および／または、模様の案をダウンロードするステップを含むことを特徴とする方法。
【請求項１９】
双安定媒体内でコロイド粒子を操作するキットにおいて、前記キットが、
双安定の材料と、
前記双安定媒体の操作のための調節デバイスと、
を含み、前記調節デバイスが
前記双安定媒体のための、色彩の案および／または模様の案を記憶するマイクロコントローラと、
前記双安定媒体を第１の状態から第２の状態へ変化させるための機構と、
を含むことを特徴とするキット。
【請求項２０】
請求項１９に記載のキットにおいて、前記双安定媒体が、超常磁性のＦｅ３０４＠Ｓｉ０２コロイド粒子であり、かつ、前記双安定の材料を第１の状態から第２の状態へ変化させるための前記機構が、約１５０ガウスと７００ガウスとの間で実行されることを特徴とするキット。
【請求項２１】
請求項２０に記載のキットにおいて、前記双安定媒体を第１の状態から第２の状態へ変化させるための前記機構が、電磁気装置であることを特徴とするキット。
【発明の詳細な説明】
【技術分野】
【０００１】
本発明は、双安定媒体内のコロイド粒子の向きを変えさせ、操作するために、色彩の変化を生成するために双安定媒体内のコロイド粒子を操作する方法、装置、およびシステムに関し、さらに詳細には、磁気、電荷、電界、光、熱、および／または、それらの任意の組合せを利用する、双安定媒体内のコロイド粒子を操作する方法、装置、およびシステムに関する。
【背景技術】
【０００２】
特定の材料において双安定性を達成する方法、たとえばＰＣＴ国際出願Ｎｏ．ＵＳ２０１０／００１１０５号明細書は、固体媒体内のマグネタイトナノ粒子を開示している。磁気的または電気的な調節および紫外線の可逆的な硬化プロセスの組合せによって、構造は、液体媒体を固体に転化させることによって、固定させることができ、この固体は、コロイド粒子を有する媒体の色彩を変化させるために、固体から液体に戻すことができる。
【０００３】
さらに、双安定材料、および／または、双安定溶液の周波数を変調するように設計された調節装置に関する多数の発明が、陰極線管（ＣＲＴ）を含め、知られている。たとえば、ＣＲＴは高性能の電磁石を使い、電子の流れに動力を供給し操縦し、電子をテレビジョンのスクリーンに当てて、それを光らせる。
【０００４】
磁気粒子を使う交流磁界の利用は、腫瘍内加熱を発生するために、Ｇｉｌｃｈｒｉｓｔらにより最初に導入された（１９５７）。細胞組織加熱は、磁気粒子からの磁気摩擦から生ずる。過去５０年間、磁気摩擦によって引き起こされる、磁気ナノ粒子の交流磁界加熱の分野での進歩は、広範囲だった。この現象には多様な科学的、技術的応用があり、特には生体臨床医学がある。最近、超常磁性が、癌の腫瘍内の温熱を誘発するために使われている。多数の、異なった磁性および超常磁性の、粒子およびナノ粒子が、文献に公表されている。
【０００５】
典型的な磁界強度は、１５０エルステッド程度の小ささで、周波数は、たとえば、３００ｋＨｚの高さである。媒体内の超常磁性粒子を加熱するために磁石を使うことにより、媒体の加熱を、粒子濃度、磁気強度、および磁界を振動させる周波数によって制御することができる。参考文献は、Ｇｉｌｃｈｒｉｓｔ  Ｒｉｃ、  Ｍｅｄａｌ  Ｒ  Ｓｈｏｒｅｙ  ＳＤらの、「Ａｎｎ  Ｓｕｒｇｅｒｙ」  １９５７：１４６：５９６；Ｊｏｒｄａｎ、Ｓｃｈｕｌｚ  Ｒ、Ｗｕｓｔ  Ｐらの、「Ｊ．  Ｍａｇｎｅｔｉｓｍ  Ｍａｇｎｅｔｉｃ  Ｍａｔｅｒ」  １９９９：２０１：４１３；および、ＤｅＮａｒｄｏ  ＧＬおよびＤｅＭａｒｄｏ  ＳＪの「Ｃａｎｃｅｒ  Ｂｉｏｔｈｅｒａｐｙ  ａｎｄ  Ｒａｄｉｏｐｈａｒｍ」  ２００：２３：６７１である。
【０００６】
しかしながら、外部の、磁界もしくは電界、電磁気、電気的な周波数、光、および／または、圧力を双安定材料に適用することによって、色彩の変化、および／または、色彩の模様を生成するために、双安定媒体内のコロイド粒子を操作するように設計された調節装置を提供することが、望ましい。
【発明の概要】
【０００７】
例示的な実施形態によれば、双安定媒体内のコロイド粒子を操作するためのデバイスであって、デバイスは、双安定媒体のための色彩の案、および／または、模様の案を記憶するマイクロコントローラ、ならびに、双安定媒体を第１の状態から第２の状態へ変化させるための機構を含む。
【０００８】
別の例示的な実施形態によれば、双安定媒体内のコロイド粒子を操作する方法は、少なくとも１つの双安定媒体のための色彩の案、および／または、模様の案を有する調節デバイスを提供するステップ；および双安定媒体のための色彩の案、および／または、模様の案を固定するステップを含む。
【０００９】
別の例示的な実施形態によれば、双安定媒体内のコロイド粒子を操作するキットであって、キットは、双安定材料、および双安定媒体を操作するための調節デバイスを含み、調節デバイスは、双安定媒体のための色彩の案、および／または、模様の案を記憶するマイクロコントローラ；および、第１の状態から第２の状態へ双安定媒体を変えるための機構を含む。
【００１０】
本発明の１つ又は複数の実施形態の詳細を添付の図面および以下の説明で述べる。他の特徴、目的、および利点は、説明および図面から、ならびに特許請求の範囲から明らかになるであろう。
【図面の簡単な説明】
【００１１】
添付の図面は、本発明のさらなる理解を提供するために含まれ、かつ本明細書に組み込まれ、その一部を構成する。図面は、本発明の実施形態を図示し、説明と併せ、本発明の原理を明らかにする役目を果たす。以下図面を説明する。
【００１２】
【図１】図１は、例示的な実施形態による、調節デバイスおよびコンピュータデバイスの透視図である。
【図２】図２は、例示的な実施形態による、双安定の材料と共に使用中の、磁界源を有する調節デバイスの透視図である。
【図３Ａ】図３Ａは、例示的な実施形態による、固定の第１の状態にある、基板または媒体上の双安定材料の断面図である。
【図３Ｂ】図３Ｂは、双安定材料の上方の調節デバイスの最初の移動中における、ＬＥＤ光源（または熱源）および磁界源を有する調節デバイスを含む、図３Ａの双安定材料の断面図である。
【図３Ｃ】図３Ｃは、図３Ａおよび図３Ｂの双安定材料の断面図であり、ここで調節デバイスは、双安定材料内部のコロイド粒子を第２の状態へ固定するプロセスを始める。
【図３Ｄ】図３Ｄは、図３Ａ〜図３Ｃの双安定材料の断面図であり、ここで双安定材料のコロイド粒子は、第２の状態に固定されている。
【図４Ａ】図４Ａは、例示的な実施形態による、固定された第１の状態での、基板または媒体上の双安定材料の断面図である。
【図４Ｂ】図４Ｂは、双安定材料の上方での、調節デバイスの最初の移動中における、磁界源を有する調節デバイスを含む、図４Ａの双安定材料の断面図である。
【図４Ｃ】図４Ｃは、図４Ａおよび図４Ｂの双安定材料の断面図であり、ここで調節デバイスは、双安定材料内部のコロイド粒子を第２の状態へ固定するプロセスを始める。
【図４Ｄ】図４Ｄは、図４Ａ〜図４Ｃの双安定材料の断面図であり、ここで双安定材料内部のコロイド粒子は、第２の状態に固定されている。
【図５】図５は、例示的な実施形態による色彩生成のための、磁性源の強さ対コロイド性の結晶の濃度を示すグラフである。
【発明を実施するための形態】
【００１３】
例示的な実施形態によると、活性化デバイス（または調節デバイス）は、ダウンロード可能な、種々の色彩を表現するソフトウェアを受け入れるように構成可能であり、このソフトウェアは、ユーザーが特定の色彩／模様を選ぶことを可能にし、ここでこのソフトウェアは、デバイス（または装置）および対応する磁気周波数を、所望の双安定の状態および／または層に調節する。
【００１４】
図１は、コンピュータアプリケーションと調節デバイスの組合せを図示する例示的な実施形態である。例示的な実施形態によると、調節デバイスは、コンピュータからコード化されたソフトウェアをダウンロードするように構成可能であり、このソフトウェアは、双安定の材料および／または層の、色彩の案および／または模様の案を変化させる。図１に示すように、調節デバイスは、色彩の案および／または模様の案をダウンロードするために、コンピュータ（または端末）のＵＳＢポート（すなわちユニバーサルシリアルバスのポート）へ挿入できるように構成することができる。例示的な実施形態によると、色彩の案および／または模様の案は、ウェブサイト、または、所望の色彩および／もしくは模様を得る他の適切な機構を通じて好適に購入される。
【００１５】
例示的な実施形態によると、コンピュータには、グラフィカルユーザーインターフェース（ＧＵＩ）またはウィンドウを有する、コンピュータまたはコンピュータの端末（すなわちパーソナルコンピュータ）が好適であり、このグラフィカルユーザーインターフェースまたはウィンドウは、ユーザーが、コンピュータまたはコンピュータ端末からダウンロードされた様々な色彩と模様をスクロールすることを可能にする。調節デバイスは、ＵＳＢコネクタとともに、図１に示され、ＵＳＢコネクタは、調節デバイスを、ＵＳＢポート経由でほとんどのコンピュータに容易に連結することを可能にする。しかしながら、これは必要条件ではない。当然のことながら、ブルートゥース、赤外線、無線周波数、および／または、「Ｉｍｐｒｏｖｅｍｅｎｔｓ  Ｒｅｌａｔｉｎｇ  ｔｏ  Ａｕｔｏｍａｔｉｃａｌｌｙ  Ｃｏｎｆｉｇｕｒｉｎｇ  Ｒｅｃｈａｒｇａｂｌｅ  Ｄｅｖｉｃｅｓ」と題する国際公開第２００４／０３８８８７号パンフレットに開示された磁気充電パッドを含み、これらに限定されないが、活性化デバイスまたは調節デバイスに情報を入力する任意の適切な方法を使うことができる。調節デバイスは好適にはオン／オフのボタンまたはスイッチを含む。オン／オフのボタンまたはスイッチは、ユーザーが調節デバイスに記憶された色彩／模様をスクロールすることも可能にする。ＬＥＤ光源は、電源、充電、充電故障、低バッテリー、およびＵＳＢ接続などの情報を示すことができる。
【００１６】
別の例示的な実施形態によると、どの種の双安定の材料が使用されているかに応じて、双安定の材料を活性化する、したがって双安定の材料の色彩を変化する様々な方法を実施することができる。たとえば、例示的な実施形態によると、材料を活性化し色彩を変化させるために、調節デバイスは、電磁界の印加（または双安定の材料への特別なフィールドまたは磁界の印加）を使うことができる。本明細書において論じるとき、「双安定である」ことは材料が２つの異なる状態（例えば電圧）で安定しているということを意味する。たとえば、例示的な実施形態によると、材料に印加された電荷がない場合（すなわち第１の状態）、および、第２の状態中、たとえば電圧または磁気の周波数が加えられている場合、材料の状態は、安定したままである。当然のことながら、双安定の材料は、マニキュア液などの化粧用の製品、玩具などのための仕上加工および／または模様、塗料、壁塗料、および任意の他の適切な応用であり得て、ここで製品は、１つまたは複数の、色彩の案および／または模様の案を有するのが好適である。
【００１７】
たとえば、双安定の材料は、ＰＣＴ国際出願Ｎｏ．ＵＳ２０１０／０００５２８号明細書、ＰＣＴ国際出願Ｎｏ．ＵＳ２０１０／００１１０５号明細書および国際公開第２００９／０１７５２５Ａ２号パンフレットに開示された、ポリマーまたは他の媒体中にある、超常磁性酸化鉄ナノ粒子であり得る。当然のことながら、色彩変化、および／または、色彩模様を生成するために双安定の溶液中の分子の向きを変えさせ、したがって、双安定の材料または層の方向を変化させるために、ある磁界を印加することは、視覚的に知覚される。当然のことながら、超常磁性酸化鉄ナノ粒子は、通常、負に帯電しているので、粒子は、電界により向きを変えさせることもできる。例示的な実施形態によると、調節デバイスは、双安定の材料に、電流、電圧または電磁波として、磁気的または電気的の、量または効力を生成し印加する。
【００１８】
別の例示的な実施形態によると、携帯用電子デバイスなど（たとえば携帯電話、スマートフォン、携帯情報端末、ポータブルコンピュータなど、連結装置付きのもの）のデバイスからの外部効果は、双安定の材料のある近接範囲内にあれば、電気的、磁気的、電流、電圧、および／または、電磁的の、波および／または界に応じて双安定の材料が、色彩を変化させることを可能にする。たとえば、図５を参照すると、例示的な実施形態による色彩生成のための、磁気源の強さ対コロイド性の結晶の密度を示す。
【００１９】
例示的な実施形態によると、最小の磁界強度は、コロイド性の結晶の低密度につながり、赤色を形成して、一方、強い（またはより強い）磁界強度は、高密度を形成し、色彩を青色に変化させる。たとえば、同時性磁性組立体、および、超常磁性のＦｅ３０４＠Ｓｉ０２コロイド粒子、シリカ上の酸化鉄、すなわちコアシェル酸化鉄粒子で構成されたエマルジョンシステムの紫外線硬化プロセスを考える。これらの粒子は、紫外線硬化性の樹脂内のエマルジョン小滴の内部で規則構造へ自己組織化される。別の例示的な実施形態によると、調節デバイスは、磁界の強度を変えることによって、超常磁性の複数粒子の回折波長を調節し固定することができ、また、空間的にパターン付けされた紫外線は、光硬化性樹脂を重合し、約１３０ガウス（Ｇ）から７００ガウス（Ｇ）まで磁界の強度を徐々に増加することによって、規則化されたコロイド性の結晶の位置を固定する。例示的な実施形態によると、磁気強度は、好適には、約５０ガウス（Ｇ）から５００ガウス（Ｇ）に変化する。当然のことながら、調節デバイスは、粒子を変化させるために決定された磁界の強度を変化するために決定された時間の、プリプログラムされたリストを含み得る。さらに、調節デバイスは、一回限り使用のデバイスであってもよく、これは用意された色彩の案、および／または、模様の案でプリプログラムされる。
【００２０】
例示的な実施形態によると、調節デバイス１００は、電磁的調節デバイスであり、双安定の材料への容易なアクセスのため、電気的なリード線または磁極を調節デバイスの遠位端部上に含む。電気的なリード線（または磁極）接続は、活性化デバイスからの指示を、色彩可変の双安定の材料に転送することを可能にする。色彩可変の双安定の材料の電気的なリード線（または磁極）は、人目を引かないように、容易にアクセス可能であることが好適である。しかしながら、これは必要条件ではない。したがって、色彩変化の事象を実行するインターフェース性能および能力を提供する、すべての電子的部品（または磁気的部品）および組立品は、本明細書で記述される本発明の一部分であることが好適である。
【００２１】
例示的な実施形態によると、調節デバイスは、本発明の主要機能および二次機能を支援する方法で接続された様々な部品を含む。調節デバイスは、双安定の材料の色彩を活性化させ、変化させるために必要な信号および制御を提供する。電気的なリード線（または磁極）へのメイン入力は、組込型マイクロコントローラからである。組込型マイクロコントローラは、ユーザーからコントローラに与えられた入力を実行するために必要な制御および応答を提供する。例示的な実施形態によると、ホストコンピュータからのマイクロコントローラへの通信は、Ｉ／Ｏ（入出力）ポートインターフェースを介する。例示的な実施形態によると、Ｉ／Ｏポートは、デバイスとして機能する。
【００２２】
例示的な実施形態によると、調節デバイスは、複数のボタン（またはスイッチ）を有し、これはマイクロコントローラへ情報を入力する能力をユーザーに提供する。例示的な実施形態によると、この複数のスイッチは、入力用タック型スイッチ（すなわち、３個のスイッチまたはボタンの組）である。スイッチを介して、ユーザーは、複数のスイッチのうちの１つ（たとえば中央のボタン）を単に押して保持（たとえば瞬間的に約１〜３秒まで）することにより、本発明の調節デバイスの電源を入れることができる。当然のことながら、本発明品は、同一または同様の方法で電源を切ることができる。
【００２３】
例示的な実施形態によると、調節デバイスは、３（３）個以上のスイッチ（またはボタン）を有し、調節デバイスの上部と下部のスイッチ（またはボタン）は、利用可能な色彩パレットをディスプレイ上でスクロールするために使われる。マイクロコントローラのプログラムは、デバイスの電源が入っている場合スイッチ状態を常時監視している。電源が入っている状態で、中央のスイッチを単に押せば、ユーザーの所望の色彩が選択される。いったん選択されると、マイクロコントローラは、アナログスイッチを介して、出力をディスプレイから接続インターフェースへ切り替える。調節デバイスは、ここで、双安定の材料を操作する準備ができている。
【００２４】
本発明の他の補助機能または二次機能は、電池、電圧調整器、電池充電器、および状態ＬＥＤを含む。ここで、例示的な実施形態によると、中央のスイッチおよびＬＥＤは両方とも単一の構成部品として結合されている。電池にはリチウムポリマー電池が好適である。しかしながら、当然のことながら、いかなる適切な電池または電源も使うことができる。たとえば、適切な充電を提供するために、Ｉ／Ｏの互換性をもつリチウム電池充電器を使うことができる。充電器は、本発明品の電池を２時間以下で安全に充電するために必要な機能をすべて含むのが好適である。充電の開始および充電状態の監視は、マイクロコントローラによって実行される。マイクロコントローラが、所望の電圧（すなわち５ボルト）がＩ／Ｏポート経由で利用可能であることを検知する場合、マイクロコントローラは、ホストコンピュータに必要な供給電流量の要求を開始する。その要求が許可される場合、マイクロコントローラは充電サイクルを始める。いったん充電サイクルが開始されると、マイクロコントローラは、充電状態の終了および充電故障状態に対して充電調整器を監視する。利用可能な故障状態は、温度オーバー、温度アンダー、および不適正な電池電圧である。さらに、所望の電圧（すなわち５ボルト）がＵＳＢポートで検知されるが、ホストポート接続が確立されない場合でも、利用可能な電圧は、携帯用壁面設置電源などの受動的な入力からであると想定されるため、マイクロコントローラは、充電を開始する。本発明品の回路へ安定した電圧を提供するために、電圧調整器が使われる。例示的な実施形態によると、その電圧調整器は、低ドロップアウトの種類である。この調整器は、わずか３．５Ｖの入力で、３．３Ｖの安定出力電圧を提供することができる。これによって本発明品は、電池からの使用可能エネルギーを最大限に活用することができる。マイクロコントローラは、低い電池状態を検知しユーザーに警告を出すために、蓄電池電圧も監視する。低い電池状態の間に、蓄電池電圧が所定値未満に低下する場合、マイクロコントローラは、主要機能をすべて運転停止し、電源を切った状態に入る。状態ＬＥＤ（発光ダイオード）は、ユーザーに調節デバイスの状態を示す。利用可能な状態には、「ＯＮ」、「充電」、「充電故障」、「電池電力低下」、および「ＵＳＢ接続」が含まれるが限定はされない。
【００２５】
例示的な実施形態によると、色彩、および／または、模様は、インターネットを通じて購入すること（すなわちオンライン色彩購入）ができる。消費者は、所望する色彩、および／または、模様を選ぶことができる。様々な色彩および模様が、認可されたウェブサイトまたはソースからダウンロード可能になることが期待される。これらの色彩および／または模様は、直接、調節装置／デバイスに、または、コンピュータ、携帯電話、もしくは他の電子デバイスなどの別のデバイスに、ダウンロードし、次いで、活性化デバイスに転送することができる。例示的な実施形態によると、調節デバイスは、双安定の層の向きを変えるが、それは、活性化デバイスと双安定の材料との間の直接接触を介して行われるか、調節デバイスを双安定の材料の上方で保持するか、揺り動かすことにより行われるか、または調節デバイスが双安定の層の電気的なリード線に直接の接続を有することにより行われる。
【００２６】
別の例示的な実施形態によると、双安定の材料が磁界を介して活性化された場合などに、調節デバイスと双安定の材料との間で物理的な接触は必要でない。色彩変化は、非常に速く起こり得て、次いで、活性化デバイスが取り外され、双安定の材料は所望の色彩／模様で残る。活性化デバイスが再度適用されるまで、その色彩／模様は存続する。
【００２７】
別の例示的な実施形態によると、調節デバイスは、超常磁性の粒子を加熱するために、局所的な熱源を使うように設計することができる。局所的な熱源の利用は、「異常高熱」としても知られているが、交流磁気周波数（ＡＭＦ）により双安定の材料内の磁気ナノ粒子を加熱するために、集中したヒステリシスの熱源を使う。例示的な実施形態によると、調節デバイスは、双安定の材料およびその中の磁気ナノ粒子を選択的に加熱するために、スイッチを入れたり、切ったりすることができる、交流磁気周波数（ＡＭＦ）コイルを含む。当然のことながら、例示的な実施形態によると、調節デバイスは、磁気ナノ粒子の発熱を引き起こすのに十分な「能力」を有する交流磁界を有する。  さらに、磁気ナノ粒子の発熱を引き起こす「能力」の量は、熱を発生させるのに十分な磁気ナノ粒子の濃度に依存する。
【００２８】
別の例示的な実施形態によると、電磁石を使うことによって、交流と直流の両方の磁界をサンプルにかけることができる。サンプルが薄膜で、その薄膜が超常磁性の粒子を含んでいる場合、薄膜を数秒以内で急速に加熱するために交流高周波磁界が使われる。交流磁界のスイッチを切り、直流の磁界を作動させることによって、超常磁性の粒子は高温で薄膜内で向きを変えることができ、一方薄膜は冷えていく。
【００２９】
例示的な実施形態によると、当然のことながら、ＡＭＦ（またはＡＣ磁界）を使うと、渦電流が導体に誘導され得て、それらを発生させた磁束の変化に対抗する。それは、磁界源および導体の相対運動により、または、磁界の経時的な変化により変化する磁界に、導体がさらされる場合に引き起こされる。これは、導体の本体内に、電子の循環流、または電流を引き起こし得る。電流のこれらの循環する渦は、レンツの法則により、もとの磁界の変化に対抗する誘起磁場を生成し、導体と磁石との間に反発力または抵抗力を引き起こす。印加磁界がより強ければ強いほど、または、導体の導電率が大きければ大きいほど、または、導体がさらされる電界が変化するのが速ければ速いほど、発生する電流は大きく、かつ、対抗する電界は大きくなる。さらに、当然のことながら、渦電流は、すべての電流と同様に電磁力に加えて熱も発生させる。
【００３０】
別の例示的な実施形態によると、双安定媒体を第１の状態から第２の状態へ変化させるための機構は、電離性放射線（  ｉｏｎｉｚｉｎｇ  ｒａｄｉａｔｉｏｎ：ＩＲ）デバイスであり得る。
【００３１】
ＰＣＴ国際出願Ｎｏ．ＵＳ２０１０／０００５２８号明細書、ＰＣＴ国際出願Ｎｏ．ＵＳ２０１０／００１１０５号明細書、および国際公開第２００９／０１７５２５Ａ２号パンフレットに開示される超常磁性酸化鉄ナノ粒子（すなわちコロイド粒子）などの、双安定の材料を用いる例示的な実施形態によると、可逆的なポリマーを使い、調節デバイスは、磁気ナノ粒子を加熱し、次には、この磁気粒子が内部に封入されている熱的に可逆的なポリマーを、磁気ナノ粒子が加熱する。
【００３２】
別の例示的な実施形態によると、マイクロコントローラは、双安定の材料および／または層の色彩の案を変化させることに適応した構成要素を記憶するためのメモリ、双安定の材料および／または層に関するデータを処理するためのプロセッサ（または中央処理装置）、および双安定の材料および／または層に関するデータを表示するためのユーザーインターフェースを含むのが好適である。
【００３３】
当然のことながら、調節デバイスは、そのメモリ内部に複数の色彩／模様を有し得て、したがってユーザーが所望するように色彩を変化させることを可能にする。たとえば、ユーザーは、調節デバイス／装置へ５つの異なる色彩をダウンロードし、次いで、その活性化デバイスを社交行事に持参してもよい。次いで、ユーザーは、双安定の材料（たとえば、爪）の色彩を、ダウンロードした５つのうちの１つに変化させることに自然に決め、上記のように活性化デバイスを単に使うことにより、そのようにしてもよい。
【００３４】
図３Ａは、例示的な実施形態による、固定された第１の状態にある、基板または媒体上の双安定の材料の断面図である。図３Ｂに示すように、図３Ａの双安定の材料は、双安定の材料の上方での調節デバイスの最初の動きの間に、ＬＥＤ光源（または熱源）および磁界源を有する調節デバイスにさらされる。図３Ｃで、調節デバイスは、双安定の材料を第２の状態へ固定するプロセスを始める。図３Ｄは、固定された第２の状態にある双安定の材料を示す。
【００３５】
図４Ａは、例示的な実施形態による、固定された第１の状態にある、基板または媒体上の双安定の材料の断面図である。図４Ｂに示すように、図４Ａの双安定の材料は、双安定の材料の上方での調節デバイスの最初の動きの間に、磁界源を有する調節デバイスにさらされる。図４Ｃで、調節デバイスは、双安定の材料内部のコロイド粒子を第２の状態へ固定するプロセスを始める。図４Ｄは、固定された第２の状態にある、双安定の材料内部のコロイド粒子を示す。
【００３６】
説明した本発明の形態は単に好適な実施形態であることを理解されたい。以下の特許請求の範囲に記載される本発明の精神および範囲から逸脱することなく、様々な変化が部品の機能および配置において行なわれ得て、図示され説明されたものに対して同等な方法が置換され得て、かつ、ある特徴は他のものから独立して使われ得る。
【図１】
2013536470.tif 000003
【図２】
2013536470.tif 000004
【図３Ａ】
2013536470.tif 000005
【図３Ｂ】
2013536470.tif 000006
【図３Ｃ】
2013536470.tif 000007
【図３Ｄ】
2013536470.tif 000008
【図４Ａ】
2013536470.tif 000009
【図４Ｂ】
2013536470.tif 000010
【図４Ｃ】
2013536470.tif 000011
【図４Ｄ】
2013536470.tif 000012
【図５】
2013536470.tif 000013
【国際調査報告】
2013536470.tif 000014
2013536470.tif 000015